(57)【要約】【課題】簡単な構成で、氷蓄熱利用運転が可能な空気調和装置を提供すること。【解決手段】圧縮機１１、室外熱交換器１４、室内熱交換器２１を備え、さらに氷蓄熱利用運転を可能にした空気調和装置１００において、室内熱交換器２１で生成されたドレン水を貯溜する貯溜部２８ａを備え、この貯溜部２８ａに貯溜したドレン水を凍らせて氷蓄熱し、この氷蓄熱を利用して氷蓄熱利用運転を行うことを特徴とする。【選択図】図１
2014070765.tif 000002
【特許請求の範囲】
【請求項１】
圧縮機、熱源側熱交換器、利用側熱交換器を備え、さらに氷蓄熱利用運転を可能にした空気調和装置において、
前記利用側熱交換器で生成されたドレン水を貯溜する貯溜部を備え、この貯溜部に貯溜した前記ドレン水を凍らせて氷蓄熱し、この氷蓄熱を利用して前記氷蓄熱利用運転を行うことを特徴とする空気調和装置。
【請求項２】
前記圧縮機及び前記熱源側熱交換器を有する室外ユニットと、前記利用側熱交換器を有する室内ユニットとを備え、前記貯溜部は、前記室内ユニットに配置されていることを特徴とする請求項1に記載の空気調和装置。
【請求項３】
前記室内ユニットは、前記利用側熱交換器の下方に前記ドレン水を受けるドレンパンを備え、このドレンパンに前記貯溜部を設けたことを特徴とする請求項２に記載の空気調和装置。
【請求項４】
前記貯溜部は、前記ドレンパンの水受部よりも低部に設けられていることを特徴とする請求項３に記載の空気調和装置。
【請求項５】
前記貯溜部は、この貯溜部の上面を覆うカバー体を備え、このカバー体には、前記貯溜部内に前記ドレン水を導く導水孔が設けられていることを特徴とする請求項１乃至４のいずれかに記載の空気調和装置。
【発明の詳細な説明】
【技術分野】
【０００１】
本発明は、氷蓄熱利用運転を可能にした空気調和装置に関する。
【背景技術】
【０００２】
従来、夜間に深夜電力を利用して氷蓄熱し、昼間に氷蓄熱を利用した氷蓄熱利用運転を行うことにより、電力使用量の平準化と電力料金の低減を図る氷蓄熱式の空気調和装置が知られている（例えば、特許文献１参照）。
この種の空気調和装置は、圧縮機及び室外熱交換器を有する室外ユニットと、室内熱交換器及び室内膨張弁を有する室内ユニットと、これら各ユニット間に設けられて氷蓄熱槽及び氷蓄熱槽に水没される蓄熱熱交換器を有する氷蓄熱ユニットとを備えて構成される。
すなわち、夜間の製氷運転時において、圧縮機から吐出された冷媒は、室外熱交換器で凝縮され、氷蓄熱ユニットの蓄熱熱交換器で蒸発し、これによって氷蓄熱槽内の水を氷化させて圧縮機に戻される。一方、日中の冷房運転（氷蓄熱利用運転）時において、圧縮機から吐出された冷媒は、室外熱交換器で凝縮して冷却された後、氷蓄熱槽に蓄えられた氷を利用して蓄熱熱交換器を介して更に冷却される。そして、氷蓄熱槽で冷却された冷媒は、室内熱交換器において蒸発して室内空気を冷却して圧縮機に戻される。
【先行技術文献】
【特許文献】
【０００３】
【特許文献１】特開平１１−２２３３６０号公報
【発明の概要】
【発明が解決しようとする課題】
【０００４】
しかしながら、従来の構成では、氷蓄熱ユニットは、多量の水（氷）を貯溜するだけの巨大な氷蓄熱槽が必要となるとともに、この氷蓄熱槽に水を供給する設備を設ける必要があり、空気調和装置の構成が煩雑になるという問題があった。
本発明の目的は、上述した従来の技術が有する課題を解消し、簡単な構成で、氷蓄熱利用運転が可能な空気調和装置を提供することにある。
【課題を解決するための手段】
【０００５】
上記目的を達成するために、本発明は、圧縮機、熱源側熱交換器、利用側熱交換器を備え、さらに氷蓄熱利用運転を可能にした空気調和装置において、前記利用側熱交換器で生成されたドレン水を貯溜する貯溜部を備え、この貯溜部に貯溜した前記ドレン水を凍らせて氷蓄熱し、この氷蓄熱を利用して前記氷蓄熱利用運転を行うことを特徴とする。
【０００６】
この構成において、前記圧縮機及び前記熱源側熱交換器を有する室外ユニットと、前記利用側熱交換器を有する室内ユニットとを備え、前記貯溜部は、前記室内ユニットに配置されていても良い。
【０００７】
また、前記室内ユニットは、前記利用側熱交換器の下方に前記ドレン水を受けるドレンパンを備え、このドレンパンに前記貯溜部を設けても良い。また、前記貯溜部は、前記ドレンパンの水受部よりも低部に設けられていても良い。また、前記貯溜部は、この貯溜部の上面を覆うカバー体を備え、このカバー体には、前記貯溜部内に前記ドレン水を導く導水孔が設けられていても良い。
【発明の効果】
【０００８】
本発明によれば、利用側熱交換器で生成されたドレン水を貯溜する貯溜部を備え、この貯溜部に貯溜したドレン水を凍らせて氷蓄熱し、この氷蓄熱を利用して氷蓄熱利用運転を行うため、氷蓄熱で使用するための水を供給する設備を設ける必要がなく、簡単な構成で氷蓄熱利用運転を行うことができる。
【図面の簡単な説明】
【０００９】
【図１】本実施形態にかかる空気調和装置の冷媒回路図である。
【図２】室内ユニットの内部構成を示す斜視図である。
【図３】室内ユニットの側面図である。
【図４】貯溜部を示す部分拡大図である。
【図５】別の実施形態にかかる空気調和装置の冷媒回路図である。
【図６】更に別の実施形態にかかる空気調和装置の冷媒回路図である。
【発明を実施するための形態】
【００１０】
以下、図面を参照して本発明の実施形態について説明する。
図１は、本実施形態にかかる空気調和装置１００の冷媒回路図である。空気調和装置１００は、図１に示すように、室外ユニット１０と室内ユニット２０とをユニット間配管３，４で接続して構成される。
室外ユニット１０は、冷媒を圧縮する圧縮機１１と、アキュムレータ１２と、四方弁１３と、室外熱交換器（熱源側熱交換器）１４と、電動膨張弁（減圧器）１５とを備え、室外冷媒配管１６に圧縮機１１が配設され、この圧縮機１１の吸込側にアキュムレータ１２が、吐出側に四方弁１３がそれぞれ配設され、この四方弁１３に室外熱交換器１４、及び、電動膨張弁１５が室外冷媒配管１６を介して順次接続される。更に、室外ユニット１０は、室外熱交換器１４に送風する室外送風機（不図示）を備えている。
【００１１】
室内ユニット２０は、室内熱交換器２１及び室内電動弁２２を備え、室内冷媒配管２３に室内熱交換器２１と室内電動弁２２とが配設される。この室内電動弁２２は、室内熱交換器２１の電動膨張弁１５側の端部に接続されている。室外冷媒配管１６と室内冷媒配管２３とはユニット間配管３，４を介してそれぞれ接続されている。
また、室内ユニット２０は、室内熱交換器２１に送風する室内送風機３６（図２）を備えており、空気が室内熱交換器２１で冷媒と熱交換した後に、被調和室に吹出される。
【００１２】
室内ユニット２０は、室内熱交換器２１及び室内電動弁２２をバイパスするように室内冷媒配管２３に接続されるバイパス管２４を備え、このバイパス管２４に蓄熱コイル２５と、製氷電動弁２６と、逆止弁２７とが配設される。バイパス管２４は、室内電動弁２２とユニット間配管４との間に設けられた第１分岐点５０と、室内熱交換器２１とユニット間配管３との間に設けられた第２分岐点５１とを接続する。これにより、本実施形態では、蓄熱コイル２５は、室内熱交換器２１に並列に設けられる。
製氷電動弁２６は、蓄熱コイル２５の上記電動膨張弁１５側の端部に設けられ、逆止弁２７は、製氷電動弁２６とは反対側の端部に接続されている。この逆止弁２７は、製氷電動弁２６から蓄熱コイル２５に冷媒が流れることを許容するとともに、蓄熱コイル２５から製氷電動弁２６に冷媒が流れることを禁止するものである。
室内熱交換器２１の下方には、この室内熱交換器２１で生成されたドレン水を受けるドレンパン２８が配置され、蓄熱コイル２５はドレンパン２８に設けられてドレン水が貯溜される貯溜部２８ａに水没状態で配置される。
【００１３】
次に、空気調和装置１００の製氷運転について詳細に説明する。
空気調和装置１００の製氷運転は、例えば、夜間１１時から翌朝７時までの時間帯に、室外ユニット１０における室外熱交換器１４からの冷媒を貯溜部２８ａ内の蓄熱コイル２５へ供給し、貯溜部２８ａに氷を作る運転である。貯溜部２８ａには、通常の冷房運転時に室内熱交換器２１で生成されたドレン水が貯溜されている。
【００１４】
この場合には、室内ユニット２０において、室内電動弁２２が閉弁され、製氷電動弁２６が開弁操作される。この状態で、圧縮機１１から吐出されたガス冷媒は、室外熱交換器１４にて凝縮され、電動膨張弁１５で減圧された後に、バイパス管２４、製氷電動弁２６を通じて、蓄熱コイル２５へ流入する。この蓄熱コイル２５内に流入した冷媒は蒸発されて、蓄熱コイル２５の外周に氷が形成される。その後、蓄熱コイル２５内のガス冷媒は、逆止弁２７、ユニット間配管３及び、室外冷媒配管１６を経て四方弁１３へ至り、アキュムレータ１２を経て圧縮機１１に戻される。この製氷運転によって、貯溜部２８ａ内に氷が形成され、この氷の冷熱が氷蓄熱利用運転に利用される。
本実施形態では、製氷運転時に、室内ユニット２０に冷媒が流れないため、室内が意図せず冷房されてしまうことが防止できる。
【００１５】
次に、空気調和装置１００の氷蓄熱利用運転について説明する。
氷蓄熱利用運転は、例えば、昼間、気温が上昇する時間帯に実施される冷房運転である。
この場合には、室内ユニット２０において、室内電動弁２２及び製氷電動弁２６の開度が調整される。具体的には、室内熱交換器２１に多くの冷媒が流れ、残りの冷媒が蓄熱コイル２５に流れるよう弁開度が調整される。
【００１６】
圧縮機１１から吐出されたガス冷媒は、室外熱交換器１４にて凝縮され、電動膨張弁１５で減圧された後、上記した第１分岐点５０で２つに分流し、一方は、室内電動弁２２を介して、室内熱交換器２１に流入し、この室内熱交換器２１により蒸発して室内を冷房する。また、他方は、製氷電動弁２６を介して、貯溜部２８ａ内の蓄熱コイル２５へ流入する。この蓄熱コイル２５内に流入した液冷媒は、蓄熱コイル２５内を満杯状態で流れ、蓄熱コイル２５の外周に付着した氷を解氷し、この氷に蓄熱された冷熱により過冷却状態となる。
この過冷却状態の液冷媒は、室内熱交換器２１の出口側の第２分岐点５１で、当該室内熱交換器２１で蒸発したガス冷媒と混合され、このガス冷媒を冷却する。その後、ガス冷媒は、ユニット間配管３及び、室外冷媒配管１６を経て四方弁１３へ至り、アキュムレータ１２を経て圧縮機１１に戻される。
従って、氷蓄熱利用運転では、室内の冷房運転を行うとともに、製氷運転で貯溜部２８ａ内の氷の冷熱を利用し、室内熱交換器２１出口のガス冷媒を冷却するため、空気調和装置１００の冷媒回路を循環する冷媒の吐出圧力の上昇を抑えることができ、ＣＯＰの向上を図るとともに消費電力の低減することができる。
【００１７】
また、製氷電動弁２６を閉弁することにより、氷蓄熱を利用しない通常の冷房運転を行うこともできる。さらに、暖房運転時には、圧縮機１１から吐出されたガス冷媒は、室内ユニット２０の室内熱交換器２１で凝縮されて室内の暖房をする。この場合、バイパス管２４には逆止弁２７が設けられているため、圧縮機１１から吐出されたガス冷媒が蓄熱コイル２５に流入することが防止される。
室内熱交換器２１で凝縮された液冷媒は、電動膨張弁１５で減圧された後に、室外熱交換器１４で蒸発され、四方弁１３、アキュムレータ１２を経て圧縮機１１に戻される。
【００１８】
なお、本実施形態では、室内電動弁２２は、第１分岐点５０と室内熱交換器２１との間に設けているが、これに限るものではなく、室内電動弁２２をユニット間配管４と第１分岐点５０との間の室内冷媒配管２３に設けても良い。この構成においては、製氷運転並びに氷蓄熱利用運転いずれの運転時も、室内電動弁２２並びに製氷電動弁２６をいずれも開度制御する。このため、製氷運転においては、室内電動弁２２からの低圧冷媒が室内熱交換器２１に多少流入するので、室内が多少冷房されることは否めない。一方、氷蓄熱利用運転においては、製氷電動弁２６の絞り制御により、蓄熱コイル２５の出口圧力よりも室内熱交換器２１の出口圧力が高くなるので、この運転を行うことができる。
【００１９】
次に、室内ユニット２０について説明する。
図２は、室内ユニット２０の内部構成を示す斜視図であり、図３は、室内ユニット２０の側面図である。この図２では、室内ユニット２０の筐体を構成する天板と、吹出側パネルと外した状態を示している。
【００２０】
本実施形態の室内ユニット２０は、建物の天井裏空間内に懸吊して配設される、いわゆるビルトインタイプの室内ユニットであり、吸込ダクト及び吹出ダクト（不図示）を介して室内空間と接続されている。
室内ユニット２０は、図２及び図３に示すように、天板３１、底板３２、側板３３、吸込側パネル３４、及び、吹出側パネル３５を備え、略矩形に形成される筐体３０を備える。吸込側パネル３４と吹出側パネル３５とは、対向する側面に配置され、室内送風機３６の下流側に配置された吹出側パネル３５に形成された吹出口３５Ａと、室内熱交換器２１の上流側に配置された吸込側パネル３４に形成された吸込口３４Ａとを有している。
【００２１】
また、筐体３０内には、室内熱交換器２１が吸込側パネル３４側に立設されるとともに、室内送風機３６が吹出側パネル３５（図３）に取り付けられている。
室内熱交換器２１の下方には、室内熱交換器２１のドレン水を受けるドレンパン２８が配置される。このドレンパン２８は、筐体３０の底板３２一杯を覆い、底板３２に支持される。ドレンパン２８は、発砲スチロール製であり、４側面が底面に対して立ち上がった箱形状に形成され、内側には防水、防カビのために、樹脂シート等で覆われている。
ドレンパン２８は、図２に示すように、水受部２８ｂと、この水受部２８ｂよりも底部が一段低くなった貯溜部２８ａ及びドレン溜まり２８ｃとを一体に備える。本実施形態では、図３に示すように、ドレンパン２８は、一部が下方に突出するように形成され、この突出した部分に上面を下方に窪ませることによって貯溜部２８ａ及びドレン溜まり２８ｃが形成されている。
【００２２】
貯溜部２８ａは、その開口の一部が室内熱交換器２１の略直下に位置するように形成され、室内熱交換器２１で生成されたドレン水が直接貯溜部２８ａに貯溜されるようになっている。また、貯溜部２８ａとドレン溜まり２８ｃとの間は、図２に示すように、仕切板３７で水密に仕切られている。貯溜部２８ａに貯溜されたドレン水が所定量を超えると、このドレン水は仕切板３７を超えてドレン溜まり２８ｃに流入する。このドレン溜まり２８ｃには、ドレンポンプ３８が配置されており、不要なドレン水はドレンポンプ３８を介して機外に排出される。
一方、貯溜部２８ａには、図４に示すように、蓄熱コイル２５が配置され、この蓄熱コイル２５に冷媒を上記のように流すことによって貯溜部２８ａに貯溜されたドレン水を氷蓄熱に利用することができる。
【００２３】
また、貯溜部２８ａには、氷蓄熱で利用される氷が蓄えられる。このため、夏期の室内（天井裏空間）で、この氷が融けないよう、貯溜部２８ａの内面には断熱性の高い材料が配置されることが望ましい。
更に、貯溜部２８ａは上面が開口しているため、貯溜部２８ａには、上記開口を覆うカバー体３９が配置されている。このカバー体３９は、上記した断熱性の高い材料で形成された板材であり、カバー体３９には、貯溜部２８ａ内にドレン水を導くための導水孔３９Ａが複数形成されている。導水孔３９Ａを複数形成した理由は、少なくとも１つを空気抜き孔とするためである。
この構成によれば、貯溜部２８ａは、断熱性の高い材料で覆われることにより、製氷運転によって凍らせた氷が室温で融けることが抑制され、氷に蓄熱された熱量を有効に利用することができる。
【００２４】
図５は、別の実施形態にかかる空気調和装置１５０の冷媒回路図である。
この図５では、蓄熱コイル２５に接続されるバイパス管１２４の接続される位置が異なる。同一の構成については同一の符号を付して説明を省略する。
この実施形態では、バイパス管１２４は、室内電動弁２２をバイパスするように設けられ、バイパス管１２４は、一端は上記した第１分岐点５０に接続され、他端が室内熱交換器２１と室内電動弁２２の間に設けられた室内冷媒配管２３の第３分岐点５２に接続される。
【００２５】
空気調和装置１５０の製氷運転を行う場合、室内ユニット２０において、室内電動弁２２が閉弁され、製氷電動弁２６が開弁操作される。この状態で、圧縮機１１から吐出されたガス冷媒は、室外熱交換器１４にて凝縮され、電動膨張弁１５で減圧された後に、バイパス管１２４、製氷電動弁２６を通じて、蓄熱コイル２５へ流入する。この蓄熱コイル２５内に流入した冷媒は蒸発されて、蓄熱コイル２５の外周に氷が形成される。その後、蓄熱コイル２５内のガス冷媒は、逆止弁２７を経て室内熱交換器２１に流入する。この場合、ガス冷媒は、蓄熱コイル２５で十分に蒸発されているため、室内熱交換器２１で蒸発することが防止され、意図せず室内が冷房されることが防止される。
そして、室内熱交換器２１を通過したガス冷媒は、ユニット間配管３及び、室外冷媒配管１６を経て四方弁１３へ至り、アキュムレータ１２を経て圧縮機１１に戻される。
【００２６】
また、氷蓄熱利用運転を行う場合には、室内ユニット２０において、室内電動弁２２が閉弁され、製氷電動弁２６が開弁操作される。
圧縮機１１から吐出されたガス冷媒は、室外熱交換器１４にて凝縮され、電動膨張弁１５で減圧された後、製氷電動弁２６を介して、貯溜部２８ａ内の蓄熱コイル２５へ流入する。この蓄熱コイル２５内に流入した液冷媒は、蓄熱コイル２５内を満杯状態で流れ、蓄熱コイル２５の外周に付着した氷を解氷し、この氷に蓄熱された冷熱により過冷却状態となる。
その後、蓄熱コイル２５内の過冷却状態の液冷媒は、逆止弁２７を経て、室内熱交換器２１へ流入し、この室内熱交換器２１で蒸発して室内を冷房する。その後、ガス冷媒は、ユニット間配管３及び、室外冷媒配管１６を経て四方弁１３へ至り、アキュムレータ１２を経て圧縮機１１に戻される。
この氷蓄熱利用運転では、製氷運転で貯溜部２８ａ内の氷の冷熱を利用し、貯溜部２８ａの蓄熱コイル２５内で液冷媒を過冷却状態として室内熱交換器２１へ供給するので、この室内熱交換器２１における冷房運転の効率を向上させることができる。
【００２７】
なお、本実施形態では、室内電動弁２２は、上記した第１分岐点５０と室内熱交換器２１との間に設けているが、これに限るものではなく、室内電動弁２２をユニット間配管４と第１分岐点５０との間の室内冷媒配管２３に設けても良い。この構成においては、図１で示した空気調和装置１００同様、暖房運転時には蓄熱コイル２５は使用しない。一方、氷蓄熱利用運転においては、図１で示した空気調和装置１００同様、蓄熱コイル２５からの過冷却状態の冷媒が室内熱交換器２１に流入するので、冷房運転の効率が向上する。
【００２８】
図６は、更に別の実施形態にかかる空気調和装置２００の冷媒回路図である。
この空気調和装置２００は、図６に示すように、上記した空気調和装置１００に記載の構成に加え、室内熱交換器２１と室内電動弁２２の間に設けられた室内冷媒配管２３上の第３分岐点５２と、蓄熱コイル２５と逆止弁２７の間に設けられたバイパス管２４上の第４分岐点５３とを接続する急冷管２０２を備え、この急冷管２０２に急冷弁２０１が設けられている。すなわち、急冷管２０２は、蓄熱コイル２５のバイパス管２４出口と室内熱交換器２１の入口を繋いでいる。本実施形態にかかる空気調和装置２００に関し、上記空気調和装置１００と同一の構成については同一の符号を付して説明を省略する。
【００２９】
空気調和装置２００の製氷運転を行う場合、室内ユニット２０において、室内電動弁２２、急冷弁２０１が閉弁され、製氷電動弁２６が開弁操作される。このため、空気調和装置２００の製氷運転では、急冷弁２０１及び急冷管２０２に冷媒が流通しない。よって、上記した空気調和装置１００の製氷運転と同一の動作となるため、ここでは説明を省略する。
【００３０】
一方、氷蓄熱利用運転を行う場合には、室内ユニット２０において、室内電動弁２２、製氷電動弁２６並びに急冷弁２０１をいずれも開度が調整される。この場合、室内熱交換器２１には、蓄熱コイル２５で冷却された過冷却冷媒と室内電動弁２２からの減圧冷媒とが混合して流れ込むことにより、室内の冷房が行える。
また、帰宅時等の室内を急速に冷房したい場合は、上記した３つの室内電動弁２２、急冷弁２０１、製氷電動弁２６のうち室内電動弁２２のみを完全に閉じれば、室内熱交換器２１には、蓄熱コイル２５からの過冷却冷媒のみが流れ込むので、この過冷却冷媒を蒸発させることにより、室内を急速に冷房することができる。
【００３１】
以上、説明したように、本実施形態によれば、圧縮機１１、室外熱交換器１４、室内熱交換器２１を備え、さらに氷蓄熱利用運転を可能にした空気調和装置１００、１５０、２００において、室内熱交換器２１で生成されたドレン水を貯溜する貯溜部２８ａを備え、この貯溜部２８ａに貯溜したドレン水を凍らせて氷蓄熱し、この氷蓄熱を利用して氷蓄熱利用運転を行うため、氷蓄熱で使用するための水を供給する設備を設ける必要がなく、簡単な構成で氷蓄熱利用運転を行うことができる。
【００３２】
また、本実施形態によれば、圧縮機１１及び室外熱交換器１４を有する室外ユニット１０と、室内熱交換器２１を有する室内ユニット２０とを備え、貯溜部２８ａは、室内ユニット２０に配置されているため、例えば、室内ユニット２０を複数台接続する場合には、これら室内ユニット２０に小容量の貯溜部２８ａを設ければ足りるため、従来のように、巨大な蓄熱槽を設ける必要がなくなり、構成の一層な簡素化を実現できる。
【００３３】
また、本実施形態によれば、室内ユニット２０は、室内熱交換器２１の下方にドレン水を受けるドレンパン２８を備え、このドレンパン２８に貯溜部２８ａを一体に設けたため、特段の水漏れ対策を施す必要がなく、室内ユニット２０内に簡単に貯溜部２８ａを形成することができる。
【００３４】
また、本実施形態によれば、貯溜部２８ａは、ドレンパン２８の水受部２８ｂよりも低部に設けられているため、ドレンパン２８に流下したドレン水を簡単に貯溜部２８ａに貯溜できる。
【００３５】
また、本実施形態によれば、貯溜部２８ａは、この貯溜部２８ａの上面の開口を覆うカバー体３９を備え、このカバー体３９には、貯溜部２８ａ内にドレン水を導く導水孔３９Ａが設けられているため、貯溜部２８ａ内の氷が外気に接触することが防止され、この氷が融けることを防止できると共に、貯溜部２８ａ内にドレン水を確実に導くことができる。
【００３６】
以上、本発明を実施するための形態について述べたが、本発明は既述の実施形態に限定されるものではなく、本発明の技術思想に基づいて各種の変形および変更が可能である。例えば、上記した実施形態では、貯溜部２８ａはドレンパン２８に一体に設ける構成としたが、ドレンパン２８上に上面が開口した箱状の貯溜部を別体として配置しても良く、更には、ドレンパン２８から例えば、ポンプ等の手段を介して、送水可能な位置に貯溜部を設けても良い。
また、本実施形態では、室内ユニット２０として、ビルトインタイプのものを説明したが、これ以外の形態の室内ユニット（例えば、家庭用エアコンの室内機）に適用できることは勿論である。
また、本実施形態では、貯溜部２８ａを室内ユニット２０に設ける構成について説明したが、例えば、圧縮機、熱源側熱交換器、利用側熱交換器を同一の筐体内に備える一体型の空気調和装置に設ける構成としても良いことは勿論である。
【符号の説明】
【００３７】
１０  室外ユニット
１１  圧縮機
１４  室外熱交換器（熱源側熱交換器）
２０  室内ユニット
２１  室内熱交換器（利用側熱交換器）
２４、１２４  バイパス管
２５  蓄熱コイル
２６  製氷電動弁
２７  逆止弁
２８  ドレンパン
２８ａ  貯溜部
２８ｂ  水受部
３８  ドレンポンプ
３９  カバー体
３９Ａ  導水孔
１００、１５０、２００  空気調和装置
【図１】
2014070765.tif 000003
【図２】
2014070765.tif 000004
【図３】
2014070765.tif 000005
【図４】
2014070765.tif 000006
【図５】
2014070765.tif 000007
【図６】
2014070765.tif 000008